(57)【要約】  熱需要や電力需要の少ない１２時から１８時までの間の一部の時間帯に、コジェネレーション装置により蓄熱すると共に、コジェネレーション装置および太陽光発電装置により蓄電し、熱需要や電力需要のピーク時を含む１８時から２４時までの間の一部の時間帯に、コジェネレーション装置がリアルタイムに出力する熱および電力だけでなく、蓄積しておいた熱および電力や商用電力を負荷へ供給し、これにより、ピーク時の電力需要にリアルタイムに対応可能な大きな発電能力を持つコジェネレーション装置の必要をなくし、設備コストを低減する。
2008041311.tif 000002
【特許請求の範囲】
【請求項１】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置が出力する電力を商用電力と協調し且つ逆潮流を防止して電力負荷へ出力する系統連系装置と、前記太陽光発電装置が出力する電力を商用電力と協調し且つ逆潮流可能に電力負荷へ出力する系統連系装置とを具備したことを特徴とするハイブリッド型発電システム（１０１）。
【請求項２】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置および前記太陽光発電装置が出力する電力を商用電力と協調し且つ逆潮流を防止して電力負荷へ出力する系統連系装置と、前記太陽光発電装置が出力する電力を逆潮流する逆潮流装置とを具備したことを特徴とするハイブリッド型発電システム（１０２）。
【請求項３】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、商用電力線から供給される電力および前記コジェネレーション装置が出力する電力および前記蓄電装置に蓄電された電力および前記太陽光発電装置から出力される電力のうちの少なくとも一つを電力負荷へ出力する電力源選択装置と、前記太陽光発電装置が出力する電力を逆潮流する逆潮流装置とを具備したことを特徴とするハイブリッド型発電システム（１０３）。
【請求項４】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置および前記太陽光発電装置が出力する電力を商用電力と協調し且つ逆潮流可能に電力負荷へ出力する系統連系装置とを具備したことを特徴とするハイブリッド型発電システム（１０４）。
【請求項５】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置および前記太陽光発電装置が出力する電力を商用電力と協調し且つ逆潮流を防止して電力負荷へ出力する系統連系装置と、前記コジェネレーション装置および前記蓄電装置および前記太陽光発電装置が出力する電力を逆潮流する逆潮流装置とを具備したことを特徴とするハイブリッド型発電システム（１０５）。
【請求項６】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、商用電力線から供給される電力および前記コジェネレーション装置が出力する電力および前記蓄電装置に蓄電された電力および前記太陽光発電装置から出力される電力のうちの少なくとも一つを電力負荷へ出力する電力源選択装置と、前記コジェネレーション装置および前記蓄電装置および前記太陽光発電装置が出力する電力を逆潮流する逆潮流装置とを具備したことを特徴とするハイブリッド型発電システム（１０６）。
【請求項７】
コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置が出力する電力を商用電力と協調し且つ逆潮流を防止して電力負荷へ出力する系統連系装置と、前記蓄電装置および前記太陽光発電装置が出力する電力を商用電力と協調し且つ逆潮流可能に電力負荷へ出力する系統連系装置とを具備したことを特徴とするハイブリッド型発電システム（１０７）。
【発明の詳細な説明】
【技術分野】
【０００１】
本発明は、ハイブリッド型発電システムに関し、さらに詳しくは、設備コストを低減することが出来るハイブリッド型発電システムに関する。
【背景技術】
【０００２】
従来、夜間や曇天で太陽光発電装置が運用できない時にコジェネレーション装置を作動させるハイブリッド型発電システムが知られている（例えば、特許文献１参照。）。
なお、ハイブリッド型発電システムではないが、電力需要および熱需要の予測に基づきコジェネレーション装置の起動および停止を行うコジェネレーション装置の運転方法が知られている（例えば、特許文献２参照。）。また、発電した電力を商用電源線へ逆潮流する太陽光発電装置が知られている（例えば、特許文献３参照。）。
【特許文献１】特開２００１−２５８１６０号公報（［００１９］）
【特許文献２】特開２００６−１２７９６７号公報
【特許文献３】特開２００４−１８０４６７号公報
【発明の開示】
【発明が解決しようとする課題】
【０００３】
一般に、１８時から２４時までの間に熱需要および電力需要のピークがある。ところが、この１８時から２４時までの間は太陽光発電装置で発電できない。
このため、上記従来のハイブリッド型発電システムでは、コジェネレーション装置に１８時から２４時までの間の電力需要にリアルタイムに対応可能な大きな発電能力を持たせている。
しかし、ピーク時の電力需要にリアルタイムに対応可能な大きな発電能力を持ったコジェネレーション装置は、高い設備コストになる問題点がある。
そこで、本発明の目的は、設備コストを低減することが出来るハイブリッド型発電システムを提供することにある。
【課題を解決するための手段】
【０００４】
第１の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置が出力する電力を商用電力と協調し且つ逆潮流を防止して電力負荷へ出力する系統連系装置と、前記太陽光発電装置が出力する電力を商用電力と協調し且つ逆潮流可能に電力負荷へ出力する系統連系装置とを具備したことを特徴とするハイブリッド型発電システム（１０１）を提供する。
上記第１の観点によるハイブリッド型発電システム（１０１）では、ピーク時に比べて熱需要や電力需要の少ない時間帯（一般に、コジェネレーション装置では深夜たとえば０時から早朝たとえば６時の間や早朝たとえば６時から夕刻たとえば１８時までの間の一部の時間帯、太陽光発電装置では早朝たとえば６時から夕刻たとえば１８時までの間の一部の時間帯）に、コジェネレーション装置により蓄熱すると共に、コジェネレーション装置および太陽光発電装置により蓄電しておく。そして、熱需要や電力需要のピーク時を含む時間帯たとえば１８時から２４時までの間の一部の時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、太陽光発電装置がリアルタイムに出力する電力のみを逆潮流させることが出来る。【０００５】
第２の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置および前記太陽光発電装置が出力する電力を商用電力と協調し且つ逆潮流を防止して電力負荷へ出力する系統連系装置と、前記太陽光発電装置が出力する電力を逆潮流する逆潮流装置とを具備したことを特徴とするハイブリッド型発電システム（１０２）を提供する。
上記第２の観点によるハイブリッド型発電システム（１０２）では、ピーク時に比べて熱需要や電力需要の少ない時間帯に、コジェネレーション装置により蓄熱すると共に、コジェネレーション装置および太陽光発電装置により蓄電しておく。そして、熱需要や電力需要のピーク時を含む時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、太陽光発電装置がリアルタイムに出力する電力のみを逆潮流させることが出来る。【０００６】
第３の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、商用電力線から供給される電力および前記コジェネレーション装置が出力する電力および前記蓄電装置に蓄電された電力および前記太陽光発電装置から出力される電力のうちの少なくとも一つを電力負荷へ出力する電力源選択装置と、前記太陽光発電装置が出力する電力を逆潮流する逆潮流装置とを具備したことを特徴とするハイブリッド型発電システム（１０３）を提供する。
上記第３の観点によるハイブリッド型発電システム（１０３）では、ピーク時に比べて熱需要や電力需要の少ない時間帯に、コジェネレーション装置により蓄熱すると共に、コジェネレーション装置および太陽光発電装置により蓄電しておく。そして、熱需要や電力需要のピーク時を含む時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、太陽光発電装置がリアルタイムに出力する電力のみを逆潮流させることが出来る。【０００７】
第４の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置および前記太陽光発電装置が出力する電力を商用電力と協調し且つ逆潮流可能に電力負荷へ出力する系統連系装置とを具備したことを特徴とするハイブリッド型発電システム（１０４）を提供する。
上記第４の観点によるハイブリッド型発電システム（１０４）では、ピーク時に比べて熱需要や電力需要の少ない時間帯に、コジェネレーション装置により蓄熱すると共に、コジェネレーション装置および太陽光発電装置により蓄電しておく。そして、熱需要や電力需要のピーク時を含む時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、コジェネレーション装置および蓄電装置および太陽光発電装置が出力する電力を逆潮流させることが出来る。【０００８】
第５の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置および前記蓄電装置および前記太陽光発電装置が出力する電力を商用電力と協調し且つ逆潮流を防止して電力負荷へ出力する系統連系装置と、前記コジェネレーション装置および前記蓄電装置および前記太陽光発電装置が出力する電力を逆潮流する逆潮流装置とを具備したことを特徴とするハイブリッド型発電システム（１０５）を提供する。
上記第５の観点によるハイブリッド型発電システム（１０５）では、ピーク時に比べて熱需要や電力需要の少ない時間帯に、コジェネレーション装置により蓄熱すると共に、コジェネレーション装置および太陽光発電装置により蓄電しておく。そして、熱需要や電力需要のピーク時を含む時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、コジェネレーション装置および蓄電装置および太陽光発電装置が出力する電力を逆潮流させることが出来る。【０００９】
第６の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、商用電力線から供給される電力および前記コジェネレーション装置が出力する電力および前記蓄電装置に蓄電された電力および前記太陽光発電装置から出力される電力のうちの少なくとも一つを電力負荷へ出力する電力源選択装置と、前記コジェネレーション装置および前記蓄電装置および前記太陽光発電装置が出力する電力を逆潮流する逆潮流装置とを具備したことを特徴とするハイブリッド型発電システム（１０６）を提供する。
上記第６の観点によるハイブリッド型発電システム（１０６）では、ピーク時に比べて熱需要や電力需要の少ない時間帯に、コジェネレーション装置により蓄熱すると共に、コジェネレーション装置および太陽光発電装置により蓄電しておく。そして、熱需要や電力需要のピーク時を含む時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、コジェネレーション装置および蓄電装置および太陽光発電装置が出力する電力を逆潮流させることが出来る。【００１０】
第７の観点では、本発明は、コジェネレーション装置と、前記コジェネレーション装置から出力される熱を蓄熱し熱負荷へ出力する蓄熱装置と、太陽光発電装置と、前記コジェネレーション装置および前記太陽光発電装置から出力される電力を蓄電する蓄電装置と、前記コジェネレーション装置が出力する電力を商用電力と協調し且つ逆潮流を防止して電力負荷へ出力する系統連系装置と、前記蓄電装置および前記太陽光発電装置が出力する電力を商用電力と協調し且つ逆潮流可能に電力負荷へ出力する系統連系装置とを具備したことを特徴とするハイブリッド型発電システム（１０７）を提供する。
上記第７の観点によるハイブリッド型発電システム（１０７）では、ピーク時に比べて熱需要や電力需要の少ない時間帯に、コジェネレーション装置により蓄熱すると共に、コジェネレーション装置および太陽光発電装置により蓄電しておく。そして、熱需要や電力需要のピーク時を含む時間帯に、コジェネレーション装置がリアルタイムに出力する熱および電力だけでなく、蓄積しておいた熱および電力や商用電力を負荷へ供給する。このため、ピーク時の電力需要にリアルタイムに対応可能な大きな発電能力を持つコジェネレーション装置が必要なくなり、設備コストを低減することが出来る。また、蓄電装置および太陽光発電装置が出力する電力を逆潮流させることが出来る。
【発明の効果】
【００１１】
本発明のハイブリッド型発電システムによれば、ピーク時の熱需要および電力需要にリアルタイムに対応可能な大きな発電能力を持つコジェネレーション装置が必要なくなり、設備コストを低減することが出来る。
【発明を実施するための最良の形態】
【００１２】
以下、図に示す実施の形態により本発明をさらに詳細に説明する。なお、これにより本発明が限定されるものではない。
【実施例１】
【００１３】
図１は、実施例１に係るハイブリッド型発電システム１０１の構成図である。
このハイブリッド型発電システム１０１は、熱エネルギーｈおよび直流電力ＰＤを出力するコジェネレーション装置１Ｄと、温水の形態で熱エネルギーを蓄熱し熱負荷Ｌｈへ熱エネルギーを供給する蓄熱タンク２と、熱エネルギーの不足を補うための補助ボイラー３と、コジェネレーション装置１Ｄが出力する直流電力ＰＤを分配する電力分配部４ａと、電力分配部４ａから分配された直流電力を商用電力と協調し且つ逆潮流を防止して分電盤Ｂを介し電力負荷Ｌｐへ出力する系統連系装置５ａと、系統連系装置５ａからの逆潮流を監視するための電流センサ６ａと、直流電力を出力する太陽光発電装置７と、太陽光発電装置７が出力する直流電力を分配する電力分配部４ｃと、電力分配部４ｃから分配された直流電力を商用電力と協調し且つ逆潮流可能に分電盤Ｂを介し電力負荷Ｌｐへ出力する系統連系装置９と、電力分配部４ａおよび電力分配部４ｃから分配された直流電力を蓄電する蓄電装置１０と、蓄電装置１０が出力する電力を商用電力と協調し且つ逆潮流を防止して分電盤Ｂを介し電力負荷Ｌｐへ出力する系統連系装置５ｂと、系統連系装置５ｂからの逆潮流を監視するための電流センサ６ｂとを具備している。Ｍｂは買電メータ、Ｍｓは売電メータである。【００１４】
なお、図中の黒頭矢印は直流系を表し、白頭矢印は交流系を表している。従って、系統連系装置５ａ，５ｂ，５ｃおよび逆潮流装置１１は、インバータ機能を有している。【００１５】
コジェネレーション装置１Ｄは、都市ガス，ＬＰＧ（Liquified Petroleum Gas），消化ガス，エタノール，エタノール混合ガス，メタノール，ＧＴＬ（Gas To Liquid），水素，ガソリン，灯油などを燃料とするエンジンにより発電機を回転させ、エンジンから熱エネルギーｈを出力し、発電機から交流電力を出力しそれを直流化して出力するか、又は、発電機から直流電力ＰＤを直接出力するものである。なお、通常のエンジン式（内燃式）の外、スターリングエンジン（外燃式）や燃料電池式などであってもよい。
コジェネレーション装置１Ｄは、少なくとも１２時から１８時までの間の一部の蓄積時間帯（例えば１７時から１８時までの１時間）には作動し、熱エネルギーｈおよび直流電力ＰＤを出力する。【００１６】
電力分配部４ａは、コジェネレーション装置１Ｄから出力される直流電力ＰＤのうちの電力負荷Ｌｐが要求する電力分を系統連系装置５ａに送り、余った電力分を蓄電装置１０に送る。【００１７】
電力分配部４ｃは、太陽光発電装置７から出力される直流電力のうちの電力負荷Ｌｐが要求する電力分および売電可能な電力分を系統連系装置９に送り、余った電力分を蓄電装置１０に送る。【００１８】
太陽光発電装置７は、可能な限り直流電力を出力する。【００１９】
実施例１に係るハイブリッド型発電システム１０１によれば、熱需要も電力需要も少ない蓄積時間帯に熱エネルギーと電力エネルギーを蓄積しておき、それら蓄積した熱エネルギーと電力エネルギーを熱需要と電力需要のピークを含む消費時間帯に供給することが出来る。従って、コジェネレーション装置１Ｄは、ピーク時の電力需要にリアルタイムに対応可能な大きな発電能力を持つ必要がなくなり、設備コストを低減することが出来る。
【実施例２】
【００２０】
図２は、実施例２に係るハイブリッド型発電システム１０２の構成図である。
このハイブリッド型発電システム１０２は、実施例１に係るハイブリッド型発電システム１０１の系統連系装置９の代わりに、電力分配部４ｃから分配された直流電力を商用電力と協調し且つ逆潮流を防止して分電盤Ｂを介し電力負荷Ｌｐへ出力する系統連系装置５ｃと、系統連系装置５ｃからの逆潮流を監視するための電流センサ６ｃとを具備している。また、電力分配部４ｃから分配された直流電力を逆潮流するための逆潮流装置１１を具備している。
電力分配部４ｃは、太陽光発電装置７から出力される直流電力のうちの電力負荷Ｌｐが要求する電力分を系統連系装置５ｃに送り、売電可能な電力分を逆潮流装置１１に送り、余った電力分を蓄電装置１０に送る。
上記以外は、実施例１に係るハイブリッド型発電システム１０１と同様である。
【実施例３】
【００２１】
図３は、実施例３に係るハイブリッド型発電システム１０３の構成図である。
このハイブリッド型発電システム１０３は、実施例２に係るハイブリッド型発電システム１０２の系統連系装置５ａ，５ｂ，５ｃおよび電流センサ６ａ，６ｂ，６ｃの代わりに、インバータ８ａ，８ｂ，８ｃおよび電力源選択装置１５を具備している。
上記以外は、実施例２に係るハイブリッド型発電システム１０２と同様である。【００２２】
電力源選択装置１５は、少なくとも１８時から２４時までの間の一部の消費時間帯（例えば１８時から２１時までの３時間）には、次の条件で電力源を選択する。
（ａ）コジェネレーション装置１Ｄが出力する電力だけで電力需要をまかなえる場合、コジェネレーション装置１Ｄが出力する電力だけを選択する。
（ｂ）コジェネレーション装置１Ｄが出力する電力と太陽光発電装置７が出力する電力だけで電力需要をまかなえる場合、コジェネレーション装置１Ｄが出力する電力および太陽光発電装置７が出力する電力を選択する。
（ｃ）コジェネレーション装置１Ｄが出力する電力と太陽光発電装置７が出力する電力と蓄電装置１０に蓄電された電力だけで電力需要をまかなえる場合、コジェネレーション装置１Ｄが出力する電力および太陽光発電装置７が出力する電力および蓄電装置１０が出力する電力を選択する。
（ｄ）コジェネレーション装置１Ｄが出力する電力と太陽光発電装置７が出力する電力と蓄電装置１０に蓄電された電力だけでは電力需要をまかなえない場合、コジェネレーション装置１Ｄが出力する電力および太陽光発電装置７が出力する電力および蓄電装置１０が出力する電力および商用電力線Ｐから供給される商用電力の全てを選択する。
【実施例４】
【００２３】
図４は、実施例４に係るハイブリッド型発電システム１０４の構成図である。
このハイブリッド型発電システム１０４は、実施例１に係るハイブリッド型発電システム１０１の系統連系装置５ａ，５ｂの代わりに、電力分配部４ａ，４ｃから分配された直流電力を商用電力と協調し且つ逆潮流可能に分電盤Ｂを介し電力負荷Ｌｐへ出力する系統連系装置９ａ，９ｂを具備している。
上記以外は、実施例１に係るハイブリッド型発電システム１０１と同様である。
【実施例５】
【００２４】
図５は、実施例５に係るハイブリッド型発電システム１０５の構成図である。
このハイブリッド型発電システム１０５は、実施例２に係るハイブリッド型発電システム１０２の構成に加えて、蓄電装置１０が出力する直流電力を分配する電力分配部４ｂと、電力分配部４ａから分配された直流電力を逆潮流するための逆潮流装置１１ａと、電力分配部４ｂから分配された直流電力を逆潮流するための逆潮流装置１１ｂとを具備している。
電力分配部４ａは、コジェネレーション装置１Ｄから出力される直流電力ＰＤのうちの電力負荷Ｌｐが要求する電力分を系統連系装置５ａに送り、売電可能な電力分を逆潮流装置１１ａに送り、余った電力分を蓄電装置１０に送る。
電力分配部４ｂは、蓄電装置１０から出力される直流電力のうちの電力負荷Ｌｐが要求する電力分を系統連系装置５ｂに送り、売電可能な電力分を逆潮流装置１１ｂに送る。
上記以外は、実施例２に係るハイブリッド型発電システム１０２と同様である。
【実施例６】
【００２５】
図６は、実施例６に係るハイブリッド型発電システム１０６の構成図である。
このハイブリッド型発電システム１０６は、実施例３に係るハイブリッド型発電システム１０３の構成に加えて、蓄電装置１０が出力する直流電力を分配する電力分配部４ｂと、電力分配部４ａから分配された直流電力を逆潮流するための逆潮流装置１１ａと、電力分配部４ｂから分配された直流電力を逆潮流するための逆潮流装置１１ｂとを具備している。
電力分配部４ａは、コジェネレーション装置１Ｄから出力される直流電力ＰＤのうちの電力負荷Ｌｐが要求する電力分を系統連系装置５ａに送り、売電可能な電力分を逆潮流装置１１ａに送り、余った電力分を蓄電装置１０に送る。
電力分配部４ｂは、蓄電装置１０から出力される直流電力のうちの電力負荷Ｌｐが要求する電力分を系統連系装置５ｂに送り、売電可能な電力分を逆潮流装置１１ｂに送る。
上記以外は、実施例３に係るハイブリッド型発電システム１０３と同様である。
【実施例７】
【００２６】
図７は、実施例７に係るハイブリッド型発電システム１０７の構成図である。
このハイブリッド型発電システム１０７は、実施例１に係るハイブリッド型発電システム１０１の系統連系装置５ｂの代わりに、蓄電装置１０から出力された電力を商用電力と協調し且つ逆潮流可能に分電盤Ｂを介し電力負荷Ｌｐへ出力する系統連系装置９ｂを具備している。
上記以外は、実施例１に係るハイブリッド型発電システム１０１と同様である。
【実施例８】
【００２７】
実施例１〜７のコジェネレーション装置１Ｄの代わりに、図８に示すように、都市ガス，ＬＰＧ，水素，ガソリン，灯油などを燃料とするエンジンにより発電機を回転させ、エンジンから熱エネルギーｈを出力し、発電機から交流電力ＰＡを出力するコジェネレーション装置１Ａと、交流電力ＰＡを直流化して直流電力ＰＤを出力するコンバータ１２とを用いてもよい。
【実施例９】
【００２８】
図９に示すように、コジェネレーション装置１Ｄ（または１Ａ）から出力される熱エネルギーｈで不足する熱エネルギーを補助ボイラ３で補ってから蓄熱タンク２に蓄熱し、熱負荷Ｌｈへ供給するようにしてもよい。
【実施例１０】
【００２９】
図１０に示すように、コジェネレーション装置１Ｄ（または１Ａ）から出力される熱エネルギーｈを蓄熱タンク２に蓄熱し、熱負荷Ｌｈへ供給すると共に、これと並列に、コジェネレーション装置１Ｄ（または１Ａ）から出力される熱エネルギーｈに補助ボイラ３で熱エネルギーを補って熱負荷Ｌｈへ供給するようにしてもよい。
【実施例１１】
【００３０】
図１１に示すように、コジェネレーション装置１Ｄ（または１Ａ）から出力される熱エネルギーｈを蓄熱タンク２に蓄熱し、熱負荷Ｌｈへ供給するようにしてもよい。
【産業上の利用可能性】
【００３１】
本発明のハイブリッド型発電システムは、例えば一般家庭の熱需要や電力需要をまかなうのに利用できる。
【図面の簡単な説明】
【００３２】
【図１】実施例１に係るハイブリッド型発電システムを示すブロック図である。
【図２】実施例２に係るハイブリッド型発電システムを示すブロック図である。
【図３】実施例３に係るハイブリッド型発電システムを示すブロック図である。
【図４】実施例４に係るハイブリッド型発電システムを示すブロック図である。
【図５】実施例５に係るハイブリッド型発電システムを示すブロック図である。
【図６】実施例６に係るハイブリッド型発電システムを示すブロック図である。
【図７】実施例７に係るハイブリッド型発電システムを示すブロック図である。
【図８】実施例８に係るコジェネレーション装置を示すブロック図である。
【図９】実施例９に係る熱供給経路構成を示すブロック図である。
【図１０】実施例１０に係る熱供給経路構成を示すブロック図である。
【図１１】実施例１１に係る熱供給経路構成を示すブロック図である。
【符号の説明】
【００３３】
１Ｄ，１Ａ                コジェネレーション装置
２                        蓄熱タンク
５，５ａ〜５ｃ            系統連系装置（逆潮流なし）
７                        太陽光発電装置
９，９ａ，９ｂ            系統連系装置（逆潮流あり）
１５                      電力源選択装置
１０                      蓄電装置
１１，１１ａ，１１ｂ      逆潮流装置
１０１〜１０７            ハイブリッド型発電システム
Ｌｐ                      電力負荷
Ｌｈ                      熱負荷
Ｐ                        商用電力線
【図１】
2008041311.tif 000003
【図２】
2008041311.tif 000004
【図３】
2008041311.tif 000005
【図４】
2008041311.tif 000006
【図５】
2008041311.tif 000007
【図６】
2008041311.tif 000008
【図７】
2008041311.tif 000009
【図８】
2008041311.tif 000010
【図９】
2008041311.tif 000011
【図１０】
2008041311.tif 000012
【図１１】
2008041311.tif 000013
【国際調査報告】
2008041311.tif 000014
2008041311.tif 000015